(57)【特許請求の範囲】
【請求項１】
内視鏡洗浄装置によって洗浄される際に上記内視鏡洗浄装置の電気信号出力端子と接続される電気信号入力端子と、上記電気信号入力端子から入力された電気信号が「洗浄終了」を意味するものであるときに、「洗浄済」であることを記憶する不揮発性のメモリと、上記メモリの記憶内容を外部から見える位置に表示する表示器と、上記表示器を稼働させるためのバックアップ電源とを設けたことを特徴とする内視鏡。
【請求項２】
外部光源装置に対して着脱自在なコネクタが設けられていて、そのコネクタが上記外部光源装置に対して接続されることにより、上記不揮発性のメモリと上記表示器から上記「洗浄済」であることが消去される請求項１記載の内視鏡。
【発明の詳細な説明】
【０００１】
【発明の属する技術分野】
この発明は内視鏡に関する。
【０００２】
【従来の技術】
内視鏡を介する患者間感染を防止するために、内視鏡は一回使用する毎に洗浄装置によって洗浄され、洗浄後の内視鏡は次の使用までの間ハンガーに吊り下げられるのが普通である。
【０００３】
【発明が解決しようとする課題】
しかし、そのような内視鏡ハンガーには、使用された後の未洗浄の内視鏡も吊り下げられる場合があるので、現に吊り下がっている内視鏡が洗浄済なのか未洗浄なのかが分からなくなって、未洗浄の内視鏡をそのまま使用してしまうおそれがある。
【０００４】
そこで本発明は、内視鏡洗浄装置による洗浄済であるか未洗浄であるかを誤りなく把握することができ、未洗浄のまま再使用するおそれのない内視鏡を提供することを目的とする。
【０００５】
【課題を解決するための手段】
上記の目的を達成するため、本発明の内視鏡は、内視鏡洗浄装置によって洗浄される際に内視鏡洗浄装置の信号出力端子と接続される信号入力端子と、信号入力端子から入力された信号が「洗浄終了」を意味するものであるときに、「洗浄済」であることを記憶する洗浄済記憶手段と、「洗浄済」であることを外部から見える位置に表示する表示手段とを設けたものである。
【０００６】
なお、外部光源装置に対して着脱自在なコネクタが設けられていて、そのコネクタが外部光源装置に対して接続されることにより、洗浄済記憶手段と表示手段から「洗浄済」であることが消去されるようにしてもよい。
【０００７】
【発明の実施の形態】
図面を参照して本発明の実施例を説明する。
図２は、本発明の実施例の内視鏡１０と光源装置２０を示しており、内視鏡１０の可撓管状の挿入部１１の基端に操作部１２が連結されている。そして、光源装置２０に着脱自在に接続されるコネクタ部１４が、操作部１２から延出した可撓性連結管１３の先端に取り付けられている。
【０００８】
１５はライトガイドコネクタ、１６は電気信号コネクタであり、コネクタ部１４の側面には、例えば液晶表示器又は発光ダイオード等からなる表示器１９が外部から見えるように取り付けられている。
【０００９】
光源装置２０には、光源ランプ２１の他、ＭＰＵ（マイクロプロセッサ）等を含む制御部２２が内蔵されており、光源装置２０にコネクタ部１４が接続されると、光源ランプ２１から照射される照明光がライトガイドコネクタ１５に入射し、図示されていないインターフェイスや電気信号コネクタ１６を介して制御部２２が内視鏡１０側の回路と接続される。
【００１０】
図３は内視鏡洗浄装置３０を示しており、その上端部分には内視鏡１０を格納して洗浄するための洗浄部３１が配置されていて、その上面開口には開閉自在な蓋体３２が取り付けられている。
【００１１】
３３は、内視鏡１０の電気信号コネクタ１６内に洗浄水が浸入しないように電気信号コネクタ１６に対して着脱自在に被せられる防水キャップであり、内視鏡洗浄装置３０から延出する防水の電気信号コード３４の先端に取り付けられている。
【００１２】
図４は、そのような防水キャップ３３を電気信号コネクタ１６に対向して位置させた状態を示しており、防水キャップ３３と電気信号コネクタ１６には、各々多数の接続端子（信号出力端子と信号入力端子）が配置されている。
【００１３】
そして、内視鏡１０が内視鏡洗浄装置３０によって洗浄される際に電気信号コネクタ１６に防水キャップ３３が取り付けられると、防水キャップ３３側の信号出力端子と電気信号コネクタ１６の信号入力端子とが接続される。
【００１４】
図１は、内視鏡１０の電気信号コネクタ１６に内視鏡洗浄装置３０の防水キャップ３３が取り付けられた状態の配線ブロック図であり、内視鏡１０のコネクタ部１４にはＭＰＵ（マイクロプロセッサ）等を含むマイクロコンピュータ（マイコン）１７が配置されていて、不揮発性のメモリ１８と表示器１９がコネクタ部１４内においてマイクロコンピュータ１７と接続されている。表示器１９にはメモリ１８の記憶内容が表示される。
【００１５】
なお、内視鏡１０が光源装置２０や内視鏡洗浄装置３０に接続されていなくてもマイクロコンピュータ１７や表示器１９等が稼働可能なように、電池等のバックアップ用電源（図示せず）がコネクタ部１４に配置されている。
【００１６】
このような構成により、電気信号コネクタ１６に防水キャップ３３が取り付けられると、内視鏡洗浄装置３０に内蔵されているシステムコントローラ３５から出力される「洗浄終了」等の信号が、内視鏡１０側のマイクロコンピュータ１７で読み取られる状態になる。
【００１７】
次に、上記実施例の動作を、内視鏡１０側のマイクロコンピュータ１７のソフトウェアの内容を示すフロー図である図５をも参照して説明する。図５におけるＳはステップを示している。
【００１８】
内視鏡洗浄装置３０による内視鏡１０の洗浄が開始されたことが検知され（Ｓ１）、システムコントローラ３５から出力される「洗浄終了」を意味する信号が内視鏡１０側のマイクロコンピュータ１７で検知されると（Ｓ２）、「洗浄済」であることが内視鏡１０のメモリ１８に記憶されると同時に、表示器１９に文字又は光（例えば青色灯）等によって「洗浄済」であることが表示される（Ｓ３）。
【００１９】
そして、コネクタ部１４の電気信号コネクタ１６から防水キャップ３３が取り外されてもメモリ１８の記憶内容と表示器１９の表示は変化せず（Ｓ４）、コネクタ部１４が光源装置２０に接続されると、内視鏡１０側の回路が制御部２２と接続されたことが電気信号コネクタ１６の信号入力端子を介してマイクロコンピュータ１７で検知され、メモリ１８と表示器１９が共にリセットされて、「洗浄済」であることが消去される（Ｓ５）。
【００２０】
【発明の効果】
本発明によれば、内視鏡洗浄装置から内視鏡に「洗浄終了」を意味する信号が送られると、「洗浄済」であることが内視鏡側の表示手段に表示されるので、内視鏡が洗浄装置による洗浄済であるか未洗浄であるかを誤りなく常時把握することができ、未洗浄のまま再使用するおそれをなくすことができる。
【図面の簡単な説明】
【図１】本発明の実施例の内視鏡が内視鏡洗浄装置と接続された状態の配線ブロック図である。
【図２】本発明の実施例の内視鏡と光源装置の略示図である。
【図３】本発明の実施例の内視鏡洗浄装置の外観斜視図である。
【図４】本発明の実施例の電気信号コネクタと防水キャップとの接続部の外観斜視図である。
【図５】本発明の内視鏡側のマイクロコンピュータのソフトウェアの内容を示すフロー図である。
【符号の説明】
１０  内視鏡
１４  コネクタ部
１６  電気信号コネクタ（信号入力端子）
１７  マイクロコンピュータ
１８  メモリ（洗浄済記憶手段）
１９  表示器（表示手段）
３０  内視鏡洗浄装置
３３  防水キャップ
３４  防水電気信号コード
【図１】
0004761653.tif 000002
【図２】
0004761653.tif 000003
【図３】
0004761653.tif 000004
【図４】
0004761653.tif 000005
【図５】
0004761653.tif 000006